(57)【特許請求の範囲】
【請求項１】
被採血者の身体の一部を支持しうる支持面を有する支持台と、
上記支持台に帯状のシートを供給する供給手段と、
上記供給手段から供給されて上記支持面を覆うシートを引き込んで収容する収容手段と、を具備しており、
上記支持台は、上記支持面を有する弾性変形部材と、上記弾性変形部材を支持する支持板、及び当該支持板から下方へ延出された一対の脚部を有する台本体と、を具備しており、
上記供給手段は、上記支持板の下方に配置されており、
上記収容手段は、上記支持板の下方において両端が上記一対の脚部に回転自在に支持されて、上記支持面を覆うシートが巻取り可能に連結された第２芯材を有するものである採血台。
【請求項２】
上記供給手段は、上記一対の脚部に回転自在に支持されて、帯状のシートが巻きだし可能に巻回された第１芯材を有するものである請求項１に記載の採血台。
【請求項３】
上記第１芯材及び上記第２芯材の少なくとも一方は、上記支持台に対して着脱可能である請求項２に記載の採血台。
【請求項４】
上記第２芯材の一端に、第２芯材と共に回転する持ち手が設けられた請求項１から３のいずれかに記載の採血台。
【発明の詳細な説明】
【技術分野】
【０００１】
本発明は、採血において被採血者の身体の一部を支持する採血台に関し、特に、身体の一部を支持する支持面がシートで覆われた採血台に関する。
【背景技術】
【０００２】
血液検査などのために行われる採血においては、注射器や真空採血管のホルダーなどに取り付けされた採血針が、腕などの被採血者の身体の一部において静脈に到達するまで刺通される。その際、採血針が刺通される身体の一部を安定して載置するために採血台が使用される。この採血台には、作業台などに置かれる枕形状のものや、床に載置できる脚を備えたものなどの様々の形態がある（例えば、特許文献１及び特許文献２参照）。
【０００３】
従来の採血台において、身体の一部が載置される部材は、クッション材などの比較的柔らかな部材からなり、そのクッション材などの部材において身体の一部と接触する支持面は、衛生的な観点から布などで覆われている。
【０００４】
【特許文献１】特開２００６−６８２２４号公報
【特許文献２】特開平８−２６６５１９号公報
【発明の開示】
【発明が解決しようとする課題】
【０００５】
例えば職場における健康診断のように、多数の被採血者から連続して採血を行うような場合には、複数の被採血者に対して採血台が使い回されることがある。採血において、採血台に血液が飛散する場合もあり、他人の血液が付着した採血台をそのまま再使用することは非衛生的であるばかりか、感染症の感染ルートとなりかねない。また、血液が付着していないとしても、他人の身体が接触した採血台がそのまま再使用されることは衛生的とは言い難い。しかし、被採血者が代わる毎に、採血台を取り替えたり、採血台をディスポーザブルとするのでは、採血に要するコストが高くなる。また、採血台のうち、支持面を覆う布などのみを交換することは、採血作業が非効率となる。
【０００６】
本発明は、これらの事情に鑑みてなされたものであり、その目的は、衛生的であり、かつ低コストで速やかな採血が実現される採血台を提供することにある。
【課題を解決するための手段】
【０００７】
(1)  本発明にかかる採血台は、被採血者の身体の一部を支持しうる支持面を有する支持台と、上記支持台に帯状のシートを供給する供給手段と、上記供給手段から供給されて上記支持面を覆うシートを引き込んで収容する収容手段と、を具備する。上記支持台は、上記支持面を有する弾性変形部材と、上記弾性変形部材を支持する支持板、及び当該支持板から下方へ延出された一対の脚部を有する台本体と、を具備する。上記供給手段は、上記支持板の下方に配置されている。上記収容手段は、上記支持板の下方において両端が上記一対の脚部に回転自在に支持されて、上記支持面を覆うシートが巻取り可能に連結された第２芯材を有する。
【０００８】
本発明にかかる採血台は、採血において被採血者の身体の一部を支持する。この身体の一部とは、腕や脚などであるが、一般的には腕である。身体の一部を支持する支持面は支持台の一部であり、一般的には支持台の上面となる。この支持面は、帯状のシートで覆われる。帯状のシートは、例えば、布、紙、その他の血液を吸収可能な素材からなるシートであって、支持台の支持面をほぼ覆うことができる幅であり、かつ支持面より十分に長い帯状である。帯状のシートは、洗濯などによって繰り返し使用されるものであってもよいが、衛生上や感染防止という観点からはディスポーザブルであることが好ましい。
【０００９】
支持台の支持面を覆うシートの一端側が第２芯材に連結されている。第２芯材は、例えば、筒形状や柱形状の部材である。第２芯材の軸方向とシートの幅方向とが合致されて、シートの先端側が第２芯材に連結されている。この第２芯材は、支持台の一対の脚部に回転自在に支持されている。第２芯材が回転されるとともに、支持台の支持面を覆っているシートが第２芯材に巻回される。このように第２芯材の回転によってシートが巻回される態様が、本発明において「巻取り可能」と称される。これにより、帯状のシートがコンパクトに収容され、かつ容易に引き込み可能となる。なお、第２芯材の回転は、手動であっても、モータなどの駆動源を用いてもよい。
【００１０】
弾性変形部材は、例えばスポンジや低反発ポリウレタンなどからなる。この弾性変形部材により支持面が構成されることによって、支持される身体の一部に、痛みの少ない柔らかな感触を与えることができる。この弾性変形部材は、支持板に支持されており、この支持板は、一対の脚部により作業台上などにおいて所定の高さに支持される。第１芯材及び第２芯材は、各々軸方向の両端が一対の脚部にそれぞれ支持されて回転自在である。換言すれば、第１芯材及び第２芯材は、支持板の下方において、一対の脚部に架設されている。これにより、支持板の下方の空間を供給手段、第２芯材、及び第２芯材に巻回された帯状のシートの収容空間として、採血台をコンパクトにできる。
【００１１】
採血台が使用される際には、シートで覆われた支持面に被採血者の身体の一部が支持される。そして、採血が行われた後、第２芯材によって支持面を覆うシートが引き込まれる。これに伴って、供給手段から、シートの未使用部分が支持面へ供給されて支持面を覆う。これにより、被採血者の身体の一部は、常に新しいシート上に支持される。
【００１２】
(2)  上記供給手段は、上記一対の脚部に回転自在に支持されて、帯状のシートが巻きだし可能に巻回された第１芯材を有するものであってもよい。
【００１３】
帯状のシートは、第１芯材に巻回されている。第１芯材は、例えば、筒形状や柱形状の部材である。第１芯材の軸方向とシートの幅方向とが合致されて、シートが第１芯材に巻回されている。この第１芯材は、支持台の一対の脚部に回転自在に支持されている。第１芯材が回転されるとともに、第１芯材に巻回されたシートが、長さ方向へ取り出される。このように第１芯材の回転によってシートが取り出される態様が、本発明において「巻出し可能」と称される。これにより、帯状のシートがコンパクトに収容され、かつ容易に供給可能となる。なお、第１芯材の回転は、手動であっても、モータなどの駆動源を用いてもよい。
【００１４】
(3)  上記第１芯材及び上記第２芯材の少なくとも一方は、上記支持台に対して着脱可能であってもよい。
【００１５】
これにより、帯状のシートをすべて使用した後、新しいシートが巻回された第１芯材及び第２芯材に取り替えれば、支持台が再使用できる。また、使用後の第１芯材は、新しいシートを巻回すれば再使用できる。
【００１６】
(4)  上記第２芯材の一端に、第２芯材と共に回転する持ち手が設けられてもよい。
【００１７】
持ち手としては、例えば、第２芯材の一端に設けられたダイヤル形状のものなど、指で挟み持てるものがあげられる。この持ち手によって、手動によって第２芯材を回転する際の操作性が向上される。
【発明の効果】
【００１８】
本発明によれば、被採血者の身体の一部を支持する支持面が帯状のシートで覆われ、採血が行われた後に、支持面を覆っていたシートが第２芯材に引き込まれるとともに、供給手段からシートの未使用部分が支持面へ供給されるので、各被採血者の身体の一部は、常に新しいシート上に支持される。したがって、衛生的な採血台が実現される。また、供給手段及び収容手段によって、支持面を覆うシートを連続して交換できるので、低コストで速やかな採血が実現される。また、支持板の下方の空間を供給手段、第２芯材、及び第２芯材に巻回された帯状のシートの収容空間として、採血台をコンパクトにできる。
【発明を実施するための最良の形態】
【００１９】
以下、本発明の好ましい実施形態を説明する。なお、本実施形態は本発明の一実施態様にすぎず、本発明の要旨を変更しない範囲で実施態様を変更できることは言うまでもない。
【００２０】
［図面の説明］
図１は、本発明の実施形態にかかる採血台１０の外観構成を示す斜視図である。図２は、支持台１１の外観構成を示す斜視図である。図３は、第１芯材１３の外観構成を示す分解斜視図である。図４は、図１におけるIV−IV断面を示す断面図である。図５は、図１におけるV−V断面を示す断面図である。図６は、変形例にかかる採血台１０のIV−IV断面を示す断面図である。
【００２１】
［採血台１０の概略構成］
図１に示されるように、採血台１０は、採血が行われる作業台や机上に載置可能なほぼ直方体形状であり、採血に際して被採血者の身体の一部が採血台１０上に載置されることにより、身体の一部を支持する。採血台１０が支持しうる身体の一部は特に限定されないず、採血針を刺通する静脈が存在する腕や脚などの任意の箇所があげられるが、採血台１０は、主として下腕部が肘を下側として載置されることが想定されたものである。この採血台１０は、支持台１１、帯状シート１２、第１芯材１３、及び第２芯材１４を主要な部材として構成されている。
【００２２】
［支持台１１］
図２に示されるように、支持台１１は、主として、台本体２０と、台本体２０に支持された弾性変形部材２１とから構成されている。台本体２０は、その縦断面（例えば図５参照）において下側が開放されたコの字形状をなしており、そのコの字形状の天板となる支持板２２と、一対の脚部２３，２４とからなる。支持板２２は、平面視が長方形の平板である。支持板２２の長手方向の両縁から下方へ向かって一対の脚部２３，２４がそれぞれ延出されている。この支持板２２及び脚部２３，２４は一つの部材として一体に形成され、正面視（図２において矢印２５で示される方向）において下側が開放したコの字形状をなしている。一対の脚部２３，２４によって、支持板２２が作業台などの上面から所定の高さに水平に支持される。なお、各図には示されていないが、一対の脚部２３，２４の底面に、ゴムなどの静摩擦係数が高い部材が設けられると、作業台などの上面において支持台１１が滑らないので好適である。
【００２３】
一対の脚部２３，２４には、後述される第１芯材１３及び第２芯材１４を回転自在に支持する軸孔２６，２７，２８，２９が設けられている。各軸孔２６〜２９は、一対の脚部２３，２４の所定の位置において厚み方向に貫通されている。軸孔２６，２７は、第１芯材１３を支持すべく一対をなしており、脚部２３，２４にそれぞれ形成されている。軸孔２８，２９は、第２芯材１４を支持すべく一対をなしており、脚部２３，２４にそれぞれ形成されている。なお、図２においては、脚部２４に形成された軸孔２７，２９が現れていない。
【００２４】
脚部２３において、軸孔２６は、小径部３０と大径部３１とが同じ軸線３４上に形成されている。脚部２３において他方の脚部２４と対抗する内面側に小径部３０が配置され、外面側に大径部３１が配置されている。小径部３０は、後述される第１芯材１３の軸部４０の外径に対応した内径であって、軸部４０を軸支する。大径部３１は、第１芯材１３の持ち手４１の外径に対応した内径であって、持ち手４１が回転自在に嵌合される。小径部３０及び大径部３１の軸線３４方向の長さは特に限定されないが、本実施形態では、小径部３０及び大径部３１のそれぞれが脚部２３の厚みの約半分に相当する。図２には、現れていないが、脚部２４に形成された軸孔２７は、小径部３０と同等の内径であって軸線３４上に形成されており、小径部３０と相まって軸部４０を軸支する。
【００２５】
脚部２３において、軸孔２８は、小径部３２と大径部３３とが同じ軸線３５上に形成されている。脚部２３において他方の脚部２４と対抗する内面側に小径部３２が配置され、外面側に大径部３３が配置されている。小径部３２は、後述される第２芯材１４の軸部５０の外径に対応した内径であって、軸部５０を軸支する。大径部３３は、第２芯材１４の持ち手５１の外径に対応した内径であって、持ち手５１が回転自在に嵌合される。小径部３２及び大径部３３の軸線３５方向の長さは特に限定されないが、本実施形態では、小径部３２及び大径部３３のそれぞれが脚部２３の厚みの約半分に相当する。図２には、現れていないが、脚部２４に形成された軸孔２９は、小径部３２と同等の内径であって軸線３５上に形成されており、小径部３２と相まって軸部５０を軸支する。
【００２６】
支持台１１が、水平な作業台の上面などに置かれた状態に置いて、各脚部２３，２４に形成された各軸孔２６〜２９は、各々の軸線３４，３５の高さが同等であって、かついずれもが水平方向となるように配置される。また、脚部２３における軸孔２６と軸孔２８とは、支持板２２の長手方向に沿って離間されている。図２には現れていないが、同様に、脚部２４における軸孔２７と軸孔２９とは、支持板２２の長手方向に沿って離間されている。つまり、軸線３４と軸線３５とが、支持板２２の長手方向に沿って離間されている。この軸孔２６，２７と軸孔２８，２９との離間距離は、第１芯材１３に巻かれている帯状シート１２の厚みや、第２芯材１４に巻き取られる帯状シート１２の厚みを考慮して設定されており、各軸孔２６〜２９に第１芯材１３及び第２芯材１４が軸支された状態において、第１芯材１３に巻かれた帯状シート１２と第２芯材１４に巻き取られた帯状シート１２とが相互に接触しない程度に離間されている。
【００２７】
支持板２２の上面には、弾性変形部材２１が固定されている。弾性変形部材２１は、平面視が長方形の平板であり、その短手方向が、支持板２２の短手方向の長さから脚部２３，２４の各厚みを差し引いた分より若干だけ狭く、その長手方向が支持板２２の長手方向と同等である。弾性変形部材２１は、低反発ウレタンを主要な素材として形成されており、外力に対して容積を収縮するように弾性変形可能である。このような弾性変形部材２１が、長手方向の両端（小口面）を支持板２２の両端（小口面）と揃えるようにして、支持板２２の上面に固定されている。支持板２２に固定された弾性変形部材２１の上面が、採血の際に被採血者の身体の一部を支持しうる支持面となる。
【００２８】
図１に示されるように、弾性変形部材２１の上面、つまり支持面は、帯状シート１２で覆われる。帯状シート１２は、例えば、布、紙、その他の血液を吸収可能な素材からなるシートである。帯状シート１２の幅は、弾性変形部材２１の短手方向の長さと同等である。また、帯状シート１２の長さは、弾性変形部材２１の長手方向の長さより十分に長く、後述されるように、第１芯材１３に複数回巻き付けられている。したがって、帯状シート１２は、弾性変形部材２１の上面をほぼ覆うことができる。
【００２９】
帯状シートが巻き付けられている第１芯材１３と、帯状シート１２が巻き取られる第２芯材１４とは同じ構造であるので、以下には、第１芯材１３を例に詳細な構造が説明される。なお、第１芯材１３は、本発明における供給手段の一例であり、第２芯材１４は、本発明における収容手段の一例である。
【００３０】
図３に示されるように、第１芯材１３は、軸部４０と持ち手４１とからなる。軸部４０は、ほぼ円筒形状であり、その軸線４２方向の長さは、一対の脚部２３，２４の離間距離より若干長い。また、軸部４０の外径は、軸線４２方向に対して一定であり、前述されたように、軸孔２６の小径部３０及び軸孔２７に回転自在に嵌合される大きさである。軸部４０の第１端４３側には、第１端４３から軸線４２方向に若干の距離が隔てられて鍔部４５が設けられている。鍔部４５は、その外径が軸部４０の円筒部分の外径より大きな円盤形状である。図５に示されるように、鍔部４５より第１端４３側の一部が、軸孔２６の小径部３０に嵌入される。一方、軸部４０の第２端４４側が、軸孔２７に嵌入される。これにより、軸部４０は、第１端４３及び第２端４４が一対の脚部２３，２４にそれぞれ支持される。なお、図３には示されていないが、軸部４０には、後述されるように帯状シート１２が巻かれるために、帯状シート１２の一端を固定するための切込みや接着部位が適宜設けられる。
【００３１】
持ち手４１は、軸部４０の第１端４３に取り付けられる。持ち手４１は、円盤部４６、つまみ部４７及び貫入部４８からなる。円盤部４６は、その外径が軸部４０の外径より大きな円盤形状であり、その外径は軸孔２６の大径部３１にほぼ合致する。また、円盤部４６の厚みは、大径部３１の深さより若干小さい。したがって、円盤部４６は、大径部３１内に嵌入されうる。円盤部４６には、その表面から外側へ突出されて直径方向に延びるつまみ部４７が設けられている。つまみ部４７は、円盤部４６が大径部３１に嵌入された状態において、その先端側の一部が大径部３１から外側へ突出される。つまみ部４７の両側は円盤部４６の表面であり、つまみ部４７を指で挟みながら回転させると、円盤部４６が大径部３１内において回転されうる。円盤部４６の裏面には、貫入部４８が突出されている。貫入部４８は、軸部４０の内径とほぼ合致する円筒形状である。貫入部４８が軸部４０の内空に貫入されることによって、軸部４０の第１端４３に持ち手４１が固定されて、持ち手４１と軸部４０とが一体に回転される。したがって、つまみ部４７に付与された回転が、軸部４０に伝達されて、持ち手４１と軸部４０とが一体に回転する。
【００３２】
なお、第２芯材１４の詳細な構造の説明は省略されるが、第２芯材１４も、第１芯材１３と同様の軸部５０及び持ち手５１からなる。そして、図５に示される第１芯材１３と同様にして、軸部５０の両端（第１端及び第２端）が、軸孔２７の小径部３３と軸孔２９とにそれぞれ嵌入されて、軸部５０が一対の脚部２３，２４にそれぞれ支持される。また、軸部５０には、後述されるように帯状シート１２が巻き取られるために、帯状シート１２の一端を固定するための切込みや接着部位が適宜設けられる。持ち手５１は、軸部５０の第１端に固定されて、軸部５０と一体に回転する。
【００３３】
図４に示されるように、帯状シート１２は、第１芯材１３に巻回されている。第１芯材１３の軸部４０の軸線４２と帯状シート１２の幅方向とが合致されて、帯状シート１２が軸部４０に巻回されている。帯状シート１２の巻き数は特に限定されず、帯状シート１２が巻回された第１芯材１３が、台本体２０における支持板２２の下方の空間に収まる大きさであればよい。第１芯材１３に巻回された帯状シート１２は、長さ方向へ取り出されて、台本体２０の背面側（図４における矢印３６）へ延び、さらに支持板２２及び弾性変形部材２１の小口面に沿って上方へ延出されて、弾性変形部材２１の上面（支持面）に至る。そして、帯状シート１２が台本体２０の正面側（図４における矢印２５）へ延出されて、弾性変形部材２１の上面が帯状シート１２で覆われている。
【００３４】
弾性変形部材２１の上面を覆った帯状シート１２は、台本体２０の正面側において弾性変形部材２１及び支持板２２の小口面に沿って下方へ延出され、さらに支持板２２の下方の空間へ延出されて第２芯材１４の軸部５０に連結されている。軸部５０においても、軸部４０と同様に、軸部５０の軸線方向と帯状シート１２の幅方向とが合致されている。
【００３５】
このように、その長さ方向の両端が第１芯材１３及び第２芯材１４にそれぞれ連結された帯状シート１２は、第１芯材１２が図４における時計回り方向へ回転されると第１芯材１２から取り出されて、弾性変形部材２１の上面へ供給される。このように第１芯材１３の回転によって帯状シート１２が取り出される態様が、本発明において「巻出し可能」と称される。一方、第２芯材１４が図４における時計回り方向へ回転されると、帯状シート１２が第２芯材１４に巻回されて、弾性変形部材２１の上面から引き込まれて収容される。このように第２芯材１４の回転によって帯状シート１２が巻回される態様が、本発明において「巻取り可能」と称される。
【００３６】
第１芯材１３及び第２芯材１４は、支持台１１に対して着脱可能である。なお、第１芯材１３が支持台１１に支持されている構造と、第２芯材１４が支持台１１に支持されている構造とは、その位置が異なる他は同等なので、以下に、第１芯材１３を例として、その着脱方法が説明される。
【００３７】
図５に示されるように、帯状シート１２が巻回された第１芯材１３は、支持板２２の下方において、脚部２３，２４に形成された軸孔２６，２７にそれぞれ嵌入されて回転自在に支持されている。軸孔２６においては、小径部３０に軸部４０の第１端４３が嵌入されている。第１端４３は、軸部４０に設けられた鍔部４５が脚部２３の内面に当接するまで小径部３０に嵌入されている。この状態において、第１端４３は、小径部３０内にある。持ち手４１は、脚部２３の外面側から大径部３１に嵌入されている。持ち手４１の円盤部４６が大径部３１の奥面に当接するまで嵌入されると、貫入部４８が軸部４０内へ圧入される。これにより、脚部２３を鍔部４５と円盤部４６とによって狭持した状態で、軸部４０と持ち手４１とが連結される。一方、軸部４０の第２端４４は、脚部２４の軸孔２７に嵌入されている。軸部４０の第２端４４側は、軸孔２７に対して軸線３４方向への移動が許容されているが、前述されたように、鍔部４５と円盤部４６とが脚部２３を狭持していることにより、第１芯材１３は軸線３４方向に対して移動せずに、軸線３４回りに回転自在となる。
【００３８】
第１芯材１３を支持台１１から取り外す際には、持ち手４１が軸部４０から外される。持ち手４１を脚部２３の外側へ引き出すと、軸部４０内に圧入されていた貫入部４８が引き抜かれ、持ち手４１が軸部４０から外れうる。持ち手４１が外されると、軸部４０は、軸線３４に対して、第２端４４を脚部２４の外側へ突出させる方向（図５における左方向）へ移動可能となる。そのように軸部４０を移動させると、軸孔２７において第２端４４が脚部２４の外面側へ移動するとともに、軸孔２６において第１端４３が脚部２３の内面側へ移動して、第１端４３が軸孔２６から抜け出る。軸孔２６から抜け出た第１端４３を、脚部２３の下側へ移動させると、軸部４０の第２端４４を軸孔２７から抜き取ることができる。このようにして、第１芯材１３が支持台１１から取り外される。なお、軸部４０の第１端４３を脚部２３の下側へ移動させる際に、軸孔２７に対して第２端４４付近をこじることになるが、軸孔２７と軸部４０とのガタや、図５に示されるように、脚部２４の内面側に軸孔２７を拡径するテーパ部３７が設けられることによって、軸孔２７に対して第２端４４付近をこじることが可能となる。なお、第１芯材１３を支持台１１に取り付ける際には、この逆の手順を行えばよい。
【００３９】
［使用方法］
採血台１０が使用される際には、帯状シート１２で覆われた弾性変形部材２１の上面に被採血者の身体の一部、例えば下腕部が載置される。そして、注射器や真空採血管などを用いて公知の手法によって採血が行われる。採血後、第２芯材１４の持ち手５１を、図１において時計回り方向へ回転する。図４に示されるように、第２芯材１４の軸部５０が時計回り方向へ回転すると、帯状シート１２が矢印６０の方向へ移動しながら軸部５０に巻き取られる。これに伴い、弾性変形部材２１の上面においては、帯状シート１２が矢印６１の方向へ移動する。また、第１芯材１３の軸部４０に巻回されている未使用の帯状シート１２は、矢印６２の方向へ巻き出される。弾性変形部材２１の上面を覆っていた帯状シート１２が、第１芯材１３に巻回されていた未使用の帯状シート１２に完全に置き換えられるまで、第２芯材１４を回転する。そして、弾性変形部材２１の上面を未使用の帯状シート１２に置き換えた後に、次の被採血者の身体の一部が、未使用の帯状シート１２で覆われた弾性変形部材２１の上面に載置される。さらに、次の被採血者に対しても、同様の作業が行われて、常に未使用の帯状シート１２で覆われた弾性変形部材２１の上面に被採血者の身体の一部が載置される。
【００４０】
第１芯材１３に巻回されていた帯状シート１２がすべて使われると、第２芯材１４に使用後の帯状シート１２が巻回された状態になる。そうすると、これら第１芯材１３及び第２芯材１４を、前述されたようにして支持台１１から取り外す。そして、新たな第１芯材１３及び第２芯材１４を支持台１１に取り付ける。新たな第１芯材１３には、未使用の帯状シート１２が巻回されており、第２芯材１４は、その帯状シート１２の一端が連結されて帯状シート１２を巻き取り可能である。
【００４１】
なお、使用後の帯状シート１２は、洗濯や滅菌が施されることによって繰り返し使用されてもよいが、衛生上や感染防止という観点からはディスポーザブルであることが好ましい。また、使用後の帯状シート１２が取り外された第１芯材１３及び第２芯材１４は、滅菌などが施されて、新たな帯状シート１２が巻回又は連結されることにより、再使用が可能である。
【００４２】
［本実施形態の作用効果］
このように、本実施形態にかかる採血台１０によれば、被採血者の身体の一部を支持する弾性変形部材２１の上面が帯状シート１２で覆われ、採血が行われた後に第２芯材１４が回転されると、弾性変形部材２１の上面を覆っていた帯状シート１２が第２芯材１４に巻き取られるとともに、第１芯材１３から帯状シート１２の未使用部分が弾性変形部材２１の上面へ巻き出されるので、各被採血者の身体の一部は、常に新しい帯状シート１２上に支持される。したがって、衛生的な採血台１０が実現される。また、第２芯材１４を回転させると連続して帯状シート１２が交換できるので、低コストで速やかな採血が実現される。
【００４３】
また、第１芯材１３及び第２芯材１４は、支持台１１に対して着脱可能なので、第１芯材１３に巻回された帯状シート１２をすべて使用した後、新しい帯状シート１２が巻回された第１芯材１３及び第２芯材１４に取り替えれば、支持台１１を再使用でである。また、使用後の第１芯材１３及び第２芯材１４は、新しい帯状シート１２を巻回又は連結すれば再使用できる。
【００４４】
なお、本実施形態においては、各持ち手４１，５１が各軸部４０，５０から取り外されることによって、第１芯材１３及び第２芯材１４が支持台１１に着脱可能とされているが、この着脱構造は、本実施形態に示される態様に限定されず、他の構成も採用されうることは言うまでもない。また、第１芯材１３の軸部４０及び第２芯材１４の軸部５０は、必ずしも各持ち手４１，５１と一体に交換される必要はない。例えば、新しい帯状シート１２が別の軸部４０に巻回されている態様であれば、持ち手４１は再使用して、新しい帯状シート１２が巻回された軸部４０のみを使用後の軸部４０と交換してもよい。また、本実施形態における第１芯材１３及び第２芯材１４の位置及び回転方向は相対的なものであり、支持台１１における位置や、巻出し又は巻取りのための回転方向は適宜変更されてもよい。
【００４５】
また、第２芯材１４の一端に、軸部５０と共に回転する持ち手５１が設けられることによって、手動によって第２芯材１４を回転する際の操作性が向上される。
【００４６】
また、支持台１１の支持面が弾性変形部材２１の一部とされることによって、支持される身体の一部に、痛みの少ない柔らかな感触を与えることができる。
【００４７】
また、弾性変形部材２１が支持板２２に支持されており、この支持板２２が一対の脚部２３，２４により作業台上などにおいて所定の高さに支持されるので、第１芯材１３及び第２芯材１４を支持板２２の下方において一対の脚部２３，２４に架設することができ、支持板２２の下方の空間を第１芯材１３、第２芯材１４及び帯状シート１２の収容空間として、採血台１０をコンパクトにできる。
【００４８】
なお、本実施形態においては、支持台１１が下側が開放されたコの字形状の台本体２０を有するが、本発明において、支持台は、そのようなコの字形状以外の形状が採用されてもよい。また、本実施形態では、弾性変形部材２１は平面視が長方形の平板であるが、本発明において、弾性変形部材は、平面視が台形や正方形の平板などの他の形状が採用されてもよい。そのような弾性変形部材の支持面に対して、帯状のシートは、長手方向又は短手方向などのいずれの方向へ供給又は引き込まれてもよい。
【００４９】
［変形例］
上記実施形態においては、本発明における供給手段が第１芯材１３によって構成され、本発明における収容手段が第２芯材１４によって構成されているが、本発明における供給手段及び収容手段は、他の態様が採用されうる。例えば、図６に示されるように、供給手段が第１収容空間７１によって構成され、収容手段が第２収容空間７２及びローラ対７３，７３によって構成されてもよい。なお、図６において、上記実施形態と同一の符号が付された部材は、同一の部材を示している。
【００５０】
この変形例においては、支持台１１において第１芯材１３及び第２芯材１４が設けられておらず、これらに代えて、一対の脚部２３，２４の下端に設けられて、第１収容空間７１及び第２収容空間７２の底面を形成する底板７５と、底板７５から支持板２２に渡って立設されて、支持板２２と底板７５との空間を第１収容空間７１と第２収容空間７２とに区切る仕切板７６とが支持台１１に設けられている。さらに、第２収容空間７２において、一対の脚部２３，２４の間に水平方向を軸方向として２つのローラ７３，７４が回転自在に架設されている。
【００５１】
第１収容空間７１には、底板７５に載置されて積層状態に折り畳まれた帯状シート１２が収容されている。第１収容空間７１は、支持板２２の小口面側（図６における矢印３６側）が開口しており、その開口から帯状シート１２が延出されて弾性変形部材２１の上面へ至っている。
【００５２】
第２収容空間７２は、支持板２２の小口面側（図６における矢印２５側）が開口している。その開口付近であって支持板２２の下面付近に２つのローラ７３，７４が配置されている。ローラ７３，７４は、そのローラ面の間に、帯状シート１２の厚みより若干狭い間隔が隔てられて近接されている。図６には示されていないが、前述された第１芯材１３や第２芯材１４と同様に、ローラ７３，７４の少なくとも一方の端部に持ち手が設けられており、この持ち手を回転するとローラ７３又はローラ７４が回転する。第２収容空間７２におけるローラ７３，７４より奥部（仕切板７６側）には、帯状シート１２を折り畳んだ状態で収容可能な空間が形成されている。
【００５３】
第１収容空間７１から延出された帯状シート１２は、弾性変形部材２１の上面を覆って第２収容空間７２へ至る。そして、一対のローラ７３，７４の間に挟まれて、第２収容空間７２の奥部へ至る。一対のローラ７２，７４は、帯状シート１２に圧接して狭持している。この圧接によって、ローラ７３又はローラ７４の回転が帯状シート１２へ伝達される。採血後にローラ７３又はローラ７４が回転されると、その回転が伝達されて帯状シート１２が第２収容空間７２に引き込まれる。回転力が付与されないローラ７３又はローラ７４は、帯状シート１２が引き込まれると共に連れ回りする。これにより、弾性変形部材２１の上面を覆っていた帯状シート１２の一部分、つまり使用後の一部分が第２収容空間７２内へ引き込まれて底板７５上に載置される。これに伴って、第１収容空間７１に収容されている帯状シート１２の一部分、つまり未使用の一部分が弾性変形部材２１の上面へ供給される。これにより、上記実施形態と同様に、各被採血者の身体の一部が、常に新しい帯状シート１２上に支持されるので、衛生的な採血台１０が実現される。また、ローラ７３又はローラ７４を回転させると連続して帯状シート１２が交換できるので、低コストで速やかな採血が実現される。
【００５４】
第１収容空間７１に収容されていた帯状シート１２がすべて使われると、帯状シート１２は、すべて第２収容空間７２に収容される。そうすると、第２収容空間７２から使用後の帯状シート１２が取り出され、積層状態の新しい帯状シート１２が第１収容空間７１へ装填される。そして、新しい帯状シート１２が第１収容空間７１から取り出されて弾性変形部材２１の上面、第２収容空間７２へ延出され、ローラ７３，７４間に挟まれる。これにより、上記実施形態と同様に、支持台１１が再使用される。
【００５５】
なお、本発明における供給手段及び収容手段の組み合わせは、上記実施形態及び変形例に示される組み合わせに限定されない。したがって、変形例における第１収容空間７１に代えて第１芯材１３が設けられてもよく、また、第２収容空間７２に代えて第２芯材１４が設けられてもよい。
【図面の簡単な説明】
【００５６】
【図１】図１は、本発明の実施形態にかかる採血台１０の外観構成を示す斜視図である。
【図２】図２は、支持台１１の外観構成を示す斜視図である。
【図３】図３は、第１芯材１３の外観構成を示す分解斜視図である。
【図４】図４は、図１におけるIV−IV断面を示す断面図である。
【図５】図５は、図１におけるV−V断面を示す断面図である。
【図６】図６は、変形例にかかる採血台１０のIV−IV断面を示す断面図である。
【符号の説明】
【００５７】
１０・・・採血台
１１・・・支持台
１２・・・帯状シート
１３・・・第１芯材（供給手段）
１４・・・第２芯材（収容手段）
４１，５１・・・持ち手
２０・・・台本体
２１・・・弾性変形部材
２２・・・支持板
２３，２４・・・脚部
７１・・・第１収容空間（供給手段）
７２・・・第２収容空間（収容手段）
７３，７４・・・ローラ（収容手段）
【図１】
0005115156.tif 000002
【図２】
0005115156.tif 000003
【図３】
0005115156.tif 000004
【図４】
0005115156.tif 000005
【図５】
0005115156.tif 000006
【図６】
0005115156.tif 000007